(57)【要約】【課題】衝撃吸収性能と外観品質の向上とを両立可能な車両前部構造を提供することを目的とする。【解決手段】車両前部構造１００は、車両１０２の乗員室の前側に設けられているダッシュパネル１１２と、ダッシュパネル１１２から車両前方に突出し、車両１０２の外表面を成す所定のパネル部材（フロントバンパ１０４、フロントエンドパネル１０６）を支えるブラケット１１６と、ブラケット１１６よりも下方にて車幅方向に延びているバンパメンバ１２２と、ブラケット１１６とバンパメンバ１２２とに差し渡されているブレース１２０とを備えることを特徴とする。【選択図】図１
2019107929.tif 000002
【特許請求の範囲】
【請求項１】
車両の乗員室の前側に設けられているダッシュパネルと、
前記ダッシュパネルから車両前方に突出し、前記車両の外表面を成す所定のパネル部材を支えるブラケットと、
前記ブラケットよりも下方にて車幅方向に延びているバンパメンバと、
前記ブラケットと前記バンパメンバとに差し渡されているブレースとを備えることを特徴とする車両前部構造。
【請求項２】
前記ブラケットの車幅方向から見た下側の輪郭は、前記ダッシュパネルから車両前側の斜め上方に向かって延びた形状になっていることを特徴とする請求項１に記載の車両前部構造。
【請求項３】
前記ブラケットは、
前記ダッシュパネルに接合され車両前方に延びている１つ以上の脚部と、
前記１つ以上の脚部に支持されている前部とを有し、
前記パネル部材および前記ブレースは、前記前部に接続されることを特徴とする請求項１または２に記載の車両前部構造。
【請求項４】
前記１つ以上の脚部は、前記前部の下端を支持する下脚部と前記前部の上端を支持する上脚部とを含み、あるいは、前記前部の左端を支持する左脚部と前記前部の右端を支持する右脚部とを含むことを特徴とする請求項３に記載の車両前部構造。
【請求項５】
当該車両前部構造はさらに、前記下脚部および上脚部の車両前後方向の途中箇所に差し渡され、あるいは、前記左脚部および右脚部の車両前後方向の途中箇所に差し渡されるリンフォースを備えることを特徴とする請求項４に記載の車両前部構造。
【請求項６】
前記パネル部材は、前記ブレースと重なり合って前記ブラケットの前部に接続されていることを特徴とする請求項１から５のいずれか１項に記載の車両前部構造。
【請求項７】
当該車両前部構造はさらに、車両のサイドフレームの車両前側に該サイドフレームよりも脆弱なクラッシュボックスを備え、
前記バンパメンバは、前記クラッシュボックスの車両前側に設けられていて、
前記ブラケットおよび前記クラッシュボックスは、車幅方向において互いの一部が重なる位置に設けられていることを特徴とする請求項１から６のいずれか１項に記載の車両前部構造。
【請求項８】
前記ブレースは、前記ブラケットの前部と重なる範囲の近傍に所定のヘッドランプが接続されるランプ接続部を有することを特徴とする請求項１から７のいずれか１項に記載の車両前部構造。
【発明の詳細な説明】
【技術分野】
【０００１】
本発明は、車両前部構造に関するものである。
【背景技術】
【０００２】
近年の車両は、前面を構成するフロントバンパやフロントエンドパネル等のパネル部材に、前突時の衝撃を吸収する工夫が施されている場合がある。例えば、特許文献１の技術は、エンジンが乗員室の下方に設けられたキャブオーバー型車両に関するものである。特許文献１の技術では、段落００２７および図７等に示すように、フロントバンパが、アッパメンバ２に架け渡されたフロントクロスメンバ６ａと、フロントサイドメンバ１に架け渡されたクロスメンバ６とによって支えられている。そして、アッパメンバ２は衝撃吸収部２ｂが設けられ、フロントサイドメンバ１には衝撃吸収部１０が設けられ、これらによって衝突時の衝撃を吸収することが可能になっている。
【先行技術文献】
【特許文献】
【０００３】
【特許文献１】特許第３９６０２９３号公報
【発明の概要】
【発明が解決しようとする課題】
【０００４】
しかしながら、特許文献１の構成では、アッパメンバ２は、ダッシュパネル４から車両前方に延びた構造になっているため、フロントバンパ等からの荷重が根本部分に集まりやすいと予想される。仮にアッパメンバ２が変形し垂れ下がってしまうと、フロントバンパとその周囲の部材との境目（見切り線）の均一さも失われてしまう。車両の前面は人目に付きやすい場所であるため、フロントバンパのようなパネル部材の見切り線が精度よく形成できるか否かは車両の外観品質に大きく影響する。
【０００５】
本発明は、このような課題に鑑み、衝撃吸収性能と外観品質の向上とを両立可能な車両前部構造を提供することを目的としている。
【課題を解決するための手段】
【０００６】
上記課題を解決するために、本発明にかかる車両前部構造の代表的な構成は、車両の乗員室の前側に設けられているダッシュパネルと、ダッシュパネルから車両前方に突出し、車両の外表面を成す所定のパネル部材を支えるブラケットと、ブラケットよりも下方にて車幅方向に延びているバンパメンバと、ブラケットとバンパメンバとに差し渡されているブレースとを備えることを特徴とする。
【発明の効果】
【０００７】
本発明によれば、衝撃吸収性能と外観品質の向上とを両立可能な車両前部構造を提供することが可能となる。
【図面の簡単な説明】
【０００８】
【図１】本発明の実施例にかかる車両前部構造の概要を示す図である。
【図２】図１（ｂ）のブラケットの使用状態を示した図である。
【図３】図１（ｂ）のブラケット付近の拡大図である。
【図４】図１（ｂ）ブレースの下部を示した図である。
【図５】図１（ａ）の車両前部構造のＡ−Ａ断面図である。
【図６】図３（ａ）のブラケットの変形例を示す図である。
【発明を実施するための形態】
【０００９】
本発明の一実施の形態に係る車両前部構造は、車両の乗員室の前側に設けられているダッシュパネルと、ダッシュパネルから車両前方に突出し、車両の外表面を成す所定のパネル部材を支えるブラケットと、ブラケットよりも下方にて車幅方向に延びているバンパメンバと、ブラケットとバンパメンバとに差し渡されているブレースとを備えることを特徴とする。
【００１０】
上記構成によれば、まず、ダッシュパネルから突出するブラケットによってパネル部材を支えているため、ダッシュパネルの前方にて、前突時にパネル部材の変形が乗員室に伝わるのを防ぐ、いわゆる衝撃吸収用のストロークエリアを確保することが可能になっている。そして、ブレースがブラケットとその下方のバンパメンバとに差し渡されることで、ブラケットの垂れ下がりが防止されている。この構成によれば、ブラケットのパネル部材（フロントバンパやフロントエンドパネル等）に対する支持剛性が向上し、パネル部材の見切り線を精度よく形成および維持して車両の外観品質を向上させることが可能になる。
【００１１】
上記構成は、単にブラケットの全体の剛性を高めるのではなく、ブレースでブラケットを下から支えることで、ブラケットにあえて車両後方への変形の余地を残していることも特徴である。これによりブラケットは、通常時にはパネル部材を十全に支持する一方、前突時には車両後方へ変形して衝撃吸収性能を発揮することが可能になっている。これらによって、上記構成であれば、衝撃吸収性能と外観品質の向上とを両立することが可能になっている。
【００１２】
上記ブラケットの車幅方向から見た下側の輪郭は、ダッシュパネルから車両前側の斜め上方に向かって延びた形状になっているとよい。
【００１３】
上記形状のブラケットであれば、パネル部材に対する支持剛性がより向上し、パネル部材の見切り線を精度よく形成することが可能になる。
【００１４】
上記のブラケットは、ダッシュパネルに接合され車両前方に延びている１つ以上の脚部と、１つ以上の脚部に支持されている前部とを有し、パネル部材およびブレースは、前部に接続されていてもよい。
【００１５】
上記構成によって、ブラケットの前部にパネル部材を接続し、またこの前部をブレースで支えることで、ブラケットのパネル部材に対する支持剛性が向上し、パネル部材の見切り線を精度よく形成および維持して車両の外観品質の向上を図ることが可能になる。加えて、ブラケットの前部をブレースが支えているので、ブラケットは、通常時にはパネル部材の重量をより十全に支持しつつも、前突時において車両後方へ変形して衝撃吸収性能を発揮することができる。
【００１６】
上記の１つ以上の脚部は、前部の下端を支持する下脚部と前部の上端を支持する上脚部とを含み、あるいは、前部の左端を支持する左脚部と前部の右端を支持する右脚部とを含んでいてもよい。
【００１７】
上記いずれの構成のブラケットも、前述したブレースによって補強され、パネル部材を好適に支持することが可能である。
【００１８】
当該車両前部構造はさらに、下脚部および上脚部の車両前後方向の途中箇所に差し渡され、あるいは、左脚部および右脚部の車両前後方向の途中箇所に差し渡されるリンフォースを備えてもよい。
【００１９】
上記のリンフォースによって、ブラケットを補強してパネル部材の支持剛性を向上させ、通常時における車両の外観品質のさらなる向上を図ることが可能になる。特に、リンフォースは、ブラケットの全体を補強するのではなく、各脚部の車両前後方向の途中箇所のみを補強することで、前突時にブラケットの前側および後側に変形の余地を残している。
【００２０】
上記のパネル部材は、ブレースと重なり合ってブラケットの前部に接続されていてもよい。
【００２１】
上記構成によれば、パネル部材をブレースに重ねてブラケットに取り付けることで、ブラケットのパネル部材に対する支持剛性を効率よく向上させ、車両の外観品質をより向上させることが可能になる。
【００２２】
当該車両前部構造はさらに、車両のサイドフレームの車両前側にサイドフレームよりも脆弱なクラッシュボックスを備え、バンパメンバは、クラッシュボックスの車両前側に設けられていて、ブラケットおよびクラッシュボックスは、車幅方向において互いの一部が重なる位置に設けられていてもよい。
【００２３】
上記構成によれば、前突時においてブラケットとクラッシュボックスとが協調して衝撃を吸収可能になり、車両後方の乗員室の変形を好適に防ぐことが可能になる。
【００２４】
上記ブレースは、ブラケットの前部と重なる範囲の近傍に所定のヘッドランプが接続されるランプ接続部を有してもよい。
【００２５】
上記構成によれば、ヘッドランプの支持剛性も向上させ、ヘッドランプの周囲に見切り線を精度よく形成し、車両の外観品質のさらなる向上を図ることが可能になる。
【実施例】
【００２６】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２７】
図１は、本発明の実施例にかかる車両前部構造１００の概要を示す図である。図１（ａ）は、車両前部構造１００が実施された車両１０２を左側前方のやや上方から示した斜視図である。以下、図１その他の本願のすべての図面において、車両前後方向をそれぞれ矢印F(Forward)、B(Backward)、車幅方向の左右をそれぞれ矢印L(Leftward)、R(Rightward)、車両上下方向をそれぞれ矢印U(Upward)、D(Downward)で例示する。
【００２８】
当該車両前部構造１００には、車両１０２の外表面を成す複数のパネル部材が含まれている。パネル部材の具体例としては、フロントバンパ１０４や、その上側のフロントエンドパネル１０６、およびフロントエンドパネル１０６の両脇のフェンダパネル１０８（図２参照）などが挙げられる。なお、車両１０２は、本実施例ではキャブオーバー型車両を想定したものであるが、当該車両前部構造１００の技術的思想はボンネット型車両にも適用可能である。
【００２９】
図１（ｂ）は、図１（ａ）の各パネル部材やヘッドランプ１１０ａ、１１０ｂ等を取り外した図である。図１（ｂ）に示すダッシュパネル１１２は、乗員室の前側に設けられている仕切りである。ダッシュパネル１１２の車両前側には、各パネル部材を支えるための、複数のブラケット１１３、１１４、１１５、１１６、１１７が設けられている。各ブラケットは、ダッシュパネル１１２から車両前方に突出していて、寸法は様々であるが、おおよそ車幅方向から見てハット型の形状になっている。
【００３０】
本実施例では、計５つのブラケット１１３、１１４、１１５、１１６、１１７が設けられている。このうち、中央側のブラケット１１４、１１５、１１６は、フロントバンパ１０４およびフロントエンドパネル１０６の取付けに利用されている。車幅方向の両端のブラケット１１３、１１７は、フェンダパネル１０８（図２参照）の取付けに利用されている。
【００３１】
図２は、図１（ｂ）のブラケット１１７の使用状態を示した図である。図２では、車両左側のフェンダパネル１０８を透過して示している。フェンダパネル１０８は、フロントエンドパネル１０６の両脇であって、前輪の上方側に設けられるパネル部材である。ブラケット１１７は、脚部１１７ａ、１１７ｂの前端に設けられた前部１１７ｃにて、フェンダパネル１０８がボルトの締結等によって取り付けられる。
【００３２】
再び図１（ｂ）を参照する。本実施例では、ブラケット１１４、１１６の各パネル部材に対する支持剛性を高めるために、ブレース１１８、１２０を設けている。ブレース１１８、１２０は、ブラケット１１４、１１６と下方のバンパメンバ１２２とに差し渡されていて、ブラケット１１４、１１６の主に前端側を下から支える構成となっている。
【００３３】
ブレース１１８、１２０の下端側が接続されているバンパメンバ１２２は、各ブラケットよりも下方であって、フロントバンパ１０４（図１（ａ)参照）の裏側にて車幅方向に延びるように設けられている。バンパメンバ１２２は、車両下部にて車両前後方向に延びている一対のサイドフレーム１２４ａ、１２４ｂの前側に、クラッシュボックス１２６ａ、１２６ｂを介して設置されている。クラッシュボックス１２６ａ、１２６ｂは、サイドフレーム１２４ａ、１２４ｂの車両前側に設けられている部材であり、サイドフレーム１２４ａ、１２４ｂよりも脆弱な構造で、前突時に変形して衝撃を吸収し、衝撃が乗員室に伝わることを防ぐ。
【００３４】
図３は、図１（ｂ）のブラケット１１６付近の拡大図である。図３（ａ）は、ブラケット１１６の全体を示している。本実施例のブラケット１１６は、上下の上脚部１２８と下脚部１３０がダッシュパネル１１２から車両前方に延び、これら上脚部１２８と下脚部１３０の前端に所定面積を有する前部１３２が形成された構成になっている。
【００３５】
上脚部１２８と下脚部１３０は、それぞれ裾部１２８ａ、１３０ａでダッシュパネル１１２に接合され、そこから車両前方に向かって互いに近づくように傾斜しながら延び、前部１３２の上端と下端とをそれぞれ支持している。また、上脚部１２８と下脚部１３０には、それぞれ長手方向に沿ってビード１２８ｂ、１３０ｂが設けられている。ビード１２８ｂ、１３０ｂは、それぞれ上側または下側に膨出していて、各脚部の断面二次モーメントを大きくして曲げ剛性を高めている。
【００３６】
ブレース１２０は、ブラケット１１６の前部１３２にボルト１３４等を使用して接合され、そこから下方に延びてバンパメンバ１２２（図１（ｂ）参照）に接合される。ブレース１２０の上部のうち、ブラケット１１６の前部１３２と重なる領域には、複数の貫通孔が設けられている。これら貫通孔は、ボルト１３４やクリップ１３６（図３（ｂ）参照）などが使用され、ブラケット１１６およびフロントバンパ１０４等のパネル部材と接続される。
【００３７】
図３（ｂ）は、図３（ｂ）のブレース１２０をやや下方まで示した図である。図３（ｂ）ではフロントバンパ１０４を透過して２点鎖線で示している。フロントバンパ１０４は、例えばクリップ１３６を利用して、ブレース１２０に重なったうえで、ブラケット１１６の前部１３２に接続される。
【００３８】
上記構成によって、フロントバンパ１０４の重量がブラケット１１６だけでなくブレース１２０にも支持されるため、フロントバンパ１０４の支持剛性を効率よく向上させ、車両の外観品質をより向上させることが可能になっている。なお、フロントバンパ１０４は、ブレース１２０とブラケット１１６とが重なっている領域だけでなく、ブレース１２０の他の各所にもクリップ１３８等によって接続することが可能になっている。
【００３９】
再び３（ａ）を参照する。ブラケット１１６には、内側に補強用のリンフォース１４０が設けられる。リンフォース１４０は、下脚部１３０と上脚部１２８の車両前後方向の途中箇所にて、上下方向に差し渡される。リンフォース１４０によってブラケット１１６を補強することで、フロントバンパ１０４（図３（ｂ）参照）等のパネル部材の支持剛性を向上させ、車両の外観品質のさらなる向上を図ることが可能になる。
【００４０】
本実施例では、リンフォース１４０は、ブラケット１１６の全体を補強するのではなく、上脚部１２８と下脚部１３０の車両前後方向の途中箇所のみを繋いで補強する。これによって、ブラケット１１６には、リンフォース１４０よりも前側と後側とに変形の余地が残っていて、前突時等に変形を起こして衝撃を吸収することが可能になっている。
【００４１】
なお、リンフォース１４０は、上脚部１２８の下面と下脚部１３０の上面とに面接触するように差し渡されているが、変形例として、上脚部１２８の上面と下脚部１３０の下面とにそれぞれ面接触するようにかけ渡すことも可能である。
【００４２】
再び図３（ｂ）を参照する。ブレース１２０は、ブラケット１１６の前部１３２と重なる範囲の近傍に、ヘッドランプ１１０ｂ（図１（ａ）参照）が接続されるランプ接続部１４２を有している。ランプ接続部１４２もまた、貫通孔として形成されていて、ヘッドランプ１１０ａがクリップやボルト等の締結具を介して接続される。ランプ接続部１４２は、例えば所定方向に長軸を有する長孔になっていると、ある程度の位置決めの誤差を許容できるようになるため好適である。
【００４３】
上述したように、ブラケット１１６の前部１３２は支持剛性が高いため、その近傍にてブレース１２０にヘッドランプ１１０ｂを接続することで、ヘッドランプ１１０ｂの支持剛性も向上させ、ヘッドランプ１１０ｂの周囲の見切り線を精度よく形成し、さらなる車両の外観品質の向上を図ることが可能になる。また、各部品の接続部分がブラケット１１６の前端１３２付近に集まっていることで、接続作業を効率よく行うことが可能になる。
【００４４】
図４は、図１（ｂ）ブレース１１８の下部を示した図である。ブレース１１８の下部は、ブレースブラケット１４４を介して、バンパメンバ１２２の前面に接合されている。このとき、例えばブレース１１８の下部はブレースブラケット１４４とボルト１４６によって締結され、ブレースブラケット１４４はバンパメンバ１２２に面接触して溶接等によって接合される。このようにしてブレース１１８とバンパメンバ１２２とを接合することで、フロントバンパ１０４とフロントエンドパネル１０６からかかるせん断荷重に対して剛性の高い構造が実現できる。
【００４５】
ブレース１１８は、車両のホーン１４８の設置場所としても利用される。ホーン１４８は、ブレース１１８から延びたホーン用ブラケット１５０に取り付けられる。ブレース１１８はフロントバンパ１０４（図１（ａ）参照）の近傍に存在するため、警告音等を発するホーン１４８の設置場所としても好適である。なお、フロントバンパ１０４の裏面には、車両後方へ膨出した膨出部１５２（図５（ａ）参照）などを設けると、ホーン１４８への雨水等を回避することができ、好適である。
【００４６】
図５は、図１（ａ）の車両前部構造１００のＡ−Ａ断面図である。図５（ａ）は、Ａ−Ａ断面の全体を示している。当該車両前部構造１００では、ダッシュパネル１１２から突出するブラケット１１６によってフロントバンパ１０４やフロントエンドパネル１０６等の各パネル部材を支えている。そのため、ダッシュパネル１１２の前方にて、前突時に各パネル部材から伝わる衝撃が乗員室に伝わるのを防ぐ、いわゆる衝撃吸収用のストロークエリアを広く確保することが可能になっている。また、ストロークエリアを広く確保することで、その分、クラッシュボックス（図１（ｂ）参照）も車両前方に延ばすことができ、衝撃吸収性能をより高めることが可能になっている。
【００４７】
なお、ブラケット１１６およびクラッシュボックス１２６ｂは、車幅方向において互いの一部が重なる位置に設けられている。この構成によって、前突時においてブラケット１１６とクラッシュボックス１２６ａとが協調して衝撃を吸収可能になり、車両後側の乗員室に衝撃が伝わるのを好適に防ぐことが可能になっている。
【００４８】
ブラケット１１６は、ダッシュパネル１１２から車両前方に延びた形状になっているだけでなく、車幅方向から見た下側の輪郭を形成する下脚部１３０が、ダッシュパネル１１２から車両前側の斜め上方に向かって延びた形状になっている。この形状のブラケット１１６であれば、各パネル部材に対する支持剛性がより向上し、各パネル部材の見切り線を精度よく形成することが可能になる。
【００４９】
前述しているように、ブレース１２０は、ブラケット１１６の前部１３２とその下方のバンパメンバ１２２とに差し渡されている。ブレース１２０がブラケット１１６の前部１３２を支えることで、ブラケットは根本から下方へ回転するように垂れ下がることが防止できる。
【００５０】
図５（ｂ）は、図５（ａ）のブラケット１１６の前部１３２付近の拡大図である。図５（ｂ）に示すように、ブラケット１１６の前部１３２には、ブレース１２０が重なってボルト１３４によって接合されていて、その上からフロントエンドパネル１０６およびフロントバンパ１０４がクリップ１３６によって接合されている。この構成によって、フロントエンドパネル１０６およびフロントバンパ１０４は、ブラケット１１６だけでなくブレース１２０にも支えられることになり、支持剛性が向上し、周囲の部材との見切り線を精度よく形成および維持して外観品質を向上することが可能になっている。
【００５１】
特に、本実施例では、単にブラケットの全体の剛性を高めるのではなく、ブレース１２０でブラケット１１６を下から支えることで、ブラケット１１６にあえて車両後方への変形の余地を残し、ブラケット１１６に前突時等にて衝撃吸収性能を発揮させ、これらによって外観品質の向上と衝撃吸収性能との両立を図ることが可能になっている。
【００５２】
（変形例）
図６は、図３（ａ）のブラケット１１６の変形例（ブラケット２００）を示す図である。以下、既に説明した構成要素と同じものについては、同じ符号を付することによって説明を省略する。また、既に説明した構成要素と同じ名称のものについても、例え異なる符号を付していても、特に明記しない場合は同じ機能を有するものとする。
【００５３】
図６（ａ）は、ブラケット２００を車幅方向の左上方から示した斜視図である。ブラケット２００は、上方から観てＵ字状にダッシュパネル１１２から突出している点で、図３（ａ）等のブラケット１１６と構成が異なっている。ブラケット２００は、車幅方向に左脚部２０２と右脚部２０４とを有し、左脚部２０２が前部２０６の左端を支持し、右脚部２０４が前部２０６の右端を支持する構成となっている。
【００５４】
図６（ｂ）は、図６（ａ）のブラケット２００を車幅方向の左側方から見た図である。ブラケット２００もまた、幅方向から見た下側の輪郭２０８が、ダッシュパネル１１２から車両前側の斜め上方に向かって延びた形状になっている。この形状のブラケット２００であれば、前述したフロントバンパ１０４等の各パネル部材に対する支持剛性がより向上し、各パネル部材の見切り線を精度よく形成することが可能になる。
【００５５】
ブラケット２００においても、左脚部２０２および右脚部２０４（図６（ａ）参照）の車両前後方向の途中箇所に所定のリンフォース（図示省略）を備えることが可能である。リンフォースによって、ブラケット２００を補強して、フロントバンパ１０４等の各パネル部材の支持剛性を向上させ、車両の外観品質のさらなる向上を図ることが可能になる。また、リンフォースは、ブラケット２００の全体を補強するのではなく、左脚部２０２および右脚部２０４の車両前後方向の途中箇所のみを補強することで、前突時等にブラケット２００の前側および後側に変形の余地を残すことが可能になる。
【００５６】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、車両前部構造に利用することができる。
【符号の説明】
【００５８】
１００…車両前部構造、１０２…車両、１０４…フロントバンパ、１０６…フロントエンドパネル、１０８…フェンダパネル、１１０ａ…車両右側のヘッドランプ、１１０ｂ…車両左側のヘッドランプ、１１２…ダッシュパネル、１１３、１１４、１１５、１１６、１１７…ブラケット、１１７ａ、１１７ｂ…ブラケットの脚部、１１７ｃ…ブラケットの前部、１１８…車両右側のブレース、１２０…車両左側のブレース、１２２…バンパメンバ、１２４ａ…車両右側のサイドフレーム、１２４ｂ…車両左側のサイドフレーム、１２６ａ…車両右側のクラッシュボックス、１２６ｂ…車両左側のクラッシュボックス、１２８…ブラケットの上脚部、１２８ａ…上脚部の裾部、１２８ｂ…上脚部のビード、１３０…ブラケットの下脚部、１３０ａ…下脚部の裾部、１３０ｂ…下脚部のビード、１３２…ブラケットの前部、１３４…ボルト、１３６…上側のクリップ、１３８…下側のクリップ、１４０…リンフォース、１４２…ランプ接続部、１４４…ブレースブラケット、１４８…ホーン、１５０…ホーン用ブラケット、１５２…フロントバンパの膨出部、２００…変形例のブラケット、２０２…ブラケットの左脚部、２０４…ブラケットの右脚部、２０６…ブラケットの前部、２０８…ブラケットの下側の輪郭
【図１】
2019107929.tif 000003
【図２】
2019107929.tif 000004
【図３】
2019107929.tif 000005
【図４】
2019107929.tif 000006
【図５】
2019107929.tif 000007
【図６】
2019107929.tif 000008